(57)【特許請求の範囲】
【請求項１】
下方の開口部が狭く上方の底部が広く形成された溝状凹部（２１）を備えた樋固定部（２）と、
上方が開放され雨水等の誘導が可能な有底形状であって、両上端部（１１）に板厚の厚い部分が形成された止水樋（１）と、
前記樋固定部（２）の前記溝状凹部（２１）に装着可能であるとともに前記止水樋（１）の両上端部を保持可能に形成された弾性材料からなる保持部材（３）とを有し、
前記保持部材（３）は、前記止水樋（１）の両上端部を弾性力により挟持する挟持部（３１）と、前記挟持部（３１）を弾性力に抗して押し広げる開閉腕部（３２）とを備え、前記開閉腕部（３２）が前記溝状凹部（２１）の上方底部側に押し込まれた状態では前記挟持部（３１）が弾性力により狭められて前記止水樋（１）の両上端部を保持可能であり、前記開閉腕部（３２）が前記溝状凹部（２１）の開口部近傍に引き出された状態では前記挟持部（３１）が開放されて前記保持部材（３）内に前記止水樋（１）の両上端部を挿入可能なものである止水樋の固定構造。
【請求項２】
請求項１に記載した止水樋の固定構造であって、
前記止水樋（１）は、全体の断面形状がＵ字形のものである止水樋の固定構造。
【請求項３】
請求項１，２のいずれか１項に記載した止水樋の固定構造であって、
前記止水樋（１）は、その両上端部（１１）の断面形状が略逆三角形に形成されたものであり、
前記保持部材（３）は、前記止水樋（１）の前記上端部（１１）を保持可能な略逆三角形に形成されたものである止水樋の固定構造。
【請求項４】
請求項１〜３のいずれか１項に記載した止水樋の固定構造であって、
前記開閉腕部（３２）は、その先端部に外方側に突出する突起（３３）が形成されたものであり、
前記溝状凹部（２１）は、前記開閉腕部（３２）の前記突起（３３）が係合する係合凹部（２２，２３）が二位置に設けられたものである止水樋の固定構造。
【発明の詳細な説明】
【技術分野】
【０００１】
この発明は、橋梁、高架橋などの路面を形成する床版同士の継目部において、継目部から落下する雨水等を止水して排水する止水樋の固定構造に関する。詳しくは、路面幅員方向に連続した一体の止水樋を継目部の所定位置に容易に取り付け固定することのできる止水樋の固定構造に関する。
【背景技術】
【０００２】
橋梁、高架橋などにおいて、路面を形成する床版同士の継目部は、隣接する床版の間に伸縮可能な間隙が設けられている。この継目部により床版の温度変化による伸縮、通行車両の荷重による撓み、時間経過による寸法変化などの影響を吸収し、車両等の円滑な通行が可能となるのである。この継目部に流れ込んだ雨水等はそのままでは継目部の下方に落下してしまうので、この雨水等の落下を防止するとともに所定の排水位置に誘導するために断面Ｕ字形の止水樋が設置される。
【０００３】
従来は、この止水樋はボルトとナットにより所定位置に固定されたり、接着剤により所定位置に固定されたりしていた。しかし、この止水樋の設置作業は、作業位置が床版の下面側の作業しにくい位置であることもあり、作業員に困難な長時間の作業を強いるものであった。また、下記の特許文献１のような止水樋の設置方法も公知である。特許文献１には、ワイヤと接着手段とを使用して止水樋を橋梁等に接着固定するようにした施工方法が記載されている。
【先行技術文献】
【特許文献】
【０００４】
【特許文献１】特開２００８−２４８４９４号公報
【発明の概要】
【発明が解決しようとする課題】
【０００５】
前述のように、ボルトとナットなどによる従来の止水樋の設置作業は、長時間の困難な作業を必要とし、施工コストを引き上げる原因となっていた。また、特許文献１やその他の接着による施工方法では、施工時の作業の困難さもさることながら、劣化したり損壊した古い止水樋を新しいものに交換する作業が困難であった。すなわち古い止水樋を取り外すことが難しかった。このように、従来の止水樋の固定構造では、設置作業や交換作業が困難であり、作業時間も長時間を要するという問題点があった。
【０００６】
そこで、本発明は、路面幅員方向に連続した一体の止水樋を床版の継目部の所定位置に容易に取り付け固定することができ、また、交換のために止水樋を取り外すことも容易に行うことのできる止水樋の固定構造を提供することを目的とする。
【課題を解決するための手段】
【０００７】
上記目的を達成するために、本発明の止水樋の固定構造は、下方の開口部が狭く上方の底部が広く形成された溝状凹部を備えた樋固定部と、上方が開放され雨水等の誘導が可能な有底形状であって、両上端部に板厚の厚い部分が形成された止水樋と、前記樋固定部の前記溝状凹部に装着可能であるとともに前記止水樋の両上端部を保持可能に形成された弾性材料からなる保持部材とを有し、前記保持部材は、前記止水樋の両上端部を弾性力により挟持する挟持部と、前記挟持部を弾性力に抗して押し広げる開閉腕部とを備え、前記開閉腕部が前記溝状凹部の上方底部側に押し込まれた状態では前記挟持部が弾性力により狭められて前記止水樋の両上端部を保持可能であり、前記開閉腕部が前記溝状凹部の開口部近傍に引き出された状態では前記挟持部が開放されて前記保持部材内に前記止水樋の両上端部を挿入可能なものである。
【０００８】
また、上記の止水樋の固定構造において、前記止水樋は、全体の断面形状がＵ字形のものであることが好ましい。
【０００９】
また、上記の止水樋の固定構造において、前記止水樋は、その両上端部の断面形状が略逆三角形に形成されたものであり、前記保持部材は、前記止水樋の前記上端部を保持可能な略逆三角形に形成されたものであることが好ましい。
【００１０】
また、上記の止水樋の固定構造において、前記開閉腕部は、その先端部に外方側に突出する突起が形成されたものであり、前記溝状凹部は、前記開閉腕部の前記突起が係合する係合凹部が２位置に設けられたものであることが好ましい。
【発明の効果】
【００１１】
本発明は、以上のように構成されているので、以下のような効果を奏する。
【００１２】
本発明の止水樋の固定構造により、路面幅員方向に連続した一体の止水樋を床版の継目部の所定位置に容易に取り付け固定することができる。また、固定した止水樋を修理、交換等のために取り外す作業も容易に行うことができる。そのため、橋梁等の建設工事のコストを低減させることができ、工期を短縮することができる。
【図面の簡単な説明】
【００１３】
【図１】図１は、橋梁などの床版の継目部の構造と本発明の止水樋の固定構造を示す断面図である。
【図２】図２は、継目部のフェースプレート４１の形状を示す平面図である。
【図３】図３は、樋固定部２の構成を示す断面図である。
【図４】図４は、保持部材３の構成を示す断面図である。
【図５】図５は、樋固定部２に対する保持部材３の装着状態を示す断面図である。
【図６】図６は、止水樋１を樋固定部２に固定する手順を示す断面図である。
【発明を実施するための形態】
【００１４】
本発明の実施の形態について図面を参照して説明する。図１は、本発明の止水樋の固定構造を適用する橋梁などの床版の継目部の構造を示す断面図である。橋梁、高架橋などにおいて、路面を形成する床版４，４同士の継目部は、隣接する床版４，４の間に伸縮可能な間隙が設けられている。この継目部により床版４，４の温度変化による伸縮、通行車両の荷重による撓み、時間経過による寸法変化などの影響を吸収し、車両等の円滑な通行が可能となるのである。床版４，４は、図１の矢印に示すように水平方向に伸縮移動したりする。
【００１５】
床版４の継目部の表面には金属製のフェースプレート４１が設けられている。図２は継目部のフェースプレート４１の形状を示す平面図である。フェースプレート４１の継目部には、図２に示すようなフィンガー部４２が形成されており、このフィンガー部４２が互い違いに配置されている。この構造により、継目部での床版４，４同士の伸縮移動が可能であるとともに、継目部における車両等の通行も円滑に行うことができる。
【００１６】
継目部における床版４，４の間のフェースプレート４１裏側には、弾性シール材５が配置されており、継目部から雨水等が下方に流下するのを防止している。弾性シール材５はゴム等の柔軟性を有する防水材料からなる。また、弾性シール材５の下方にはバックアップ材６が配置されている。バックアップ材６は弾性シール材５をフェースプレート４１裏面に密着保持するための裏打ち部材である。このバックアップ材６は、床版４，４の伸縮方向の移動に追従できるだけの十分な弾性を有している。
【００１７】
この継目部に流れ込んだ雨水等は、弾性シール材５によってそのまま落下することは防止されているが、弾性シール材５でも完全に雨水等の落下を遮断することはできない。弾性シール材５から漏れ落ちる雨水等は、止水樋１によって落下を防止され、所定の排水位置に誘導される。図１に示すように、止水樋１は断面Ｕ字形とされ、バックアップ材６の下面に配置されている。なお、止水樋１は、断面Ｕ字形に限らず、断面形状をＶ字形、Ｗ字形、上方が開放された四角形等の形状としてもよい。止水樋１の断面形状としては、上方が開放され雨水等の誘導が可能な有底形状であればよい。
【００１８】
従来は、このような止水樋はボルトとナットにより所定位置に固定したり、接着剤により所定位置に固定したりしていた。しかし、このような従来の止水樋の設置作業は、作業位置が床版の下面側の作業しにくい位置であることもあり、作業員に困難な長時間の作業を強いるものであった。また、劣化したり損壊した古い止水樋を新しいものに交換する作業も困難であった。
【００１９】
本発明では、止水樋１の固定を独自の固定構造によって行うようにして、止水樋１を床版４の継目部の下面に固定する作業を極めて容易に行うことができるようにしたものである。また、古い止水樋１を交換のために取り外すことも容易に行うことができる。固定構造の詳細は後述するが、止水樋１は樋固定部２に固定される。
【００２０】
樋固定部２は溝を形成した細長い棒状の部材であり、溝の開口面を下方に向けて設置されている。樋固定部２は接着やビス等の任意の方法で、バックアップ材６および床版４に固定される。この樋固定部２は、長さも止水樋１の全長ほどは長くなくてよい。適度な長さの樋固定部２を長さ方向に所定の間隔で設置すればよく、重量も軽いためバックアップ材６下面への設置作業は容易である。
【００２１】
止水樋１は、柔軟なゴム材からなる板状の部材をＵ字状に屈曲させて、止水樋１として構成することができる。止水樋１の上端部１１は、板厚が先端側ほど厚くなる形状に形成されている。止水樋１の上端部１１は、最上端が最も厚肉となる略逆三角形の形状に形成されている。上端部１１のこの厚肉部分を樋固定部２に固定するのである。なお、この上端部１１の厚肉部分の形状は、逆三角形に限らず、四角形、円形等の任意の形状とすることができる。ただし、保持部材３の形状との適合性を考慮すると逆三角形が好ましい。
【００２２】
図３は、樋固定部２の構成を示す断面図である。樋固定部２は溝状凹部２１が形成された細長い棒状の部材であり、溝状凹部２１の開口面を下方に向けて設置される。溝状凹部２１は、その断面形状が上方（溝の底面側）ほど溝幅が広くなるような図示のような形状に形成されている。
【００２３】
また、溝状凹部２１には、その底面の近傍位置の両側に係合凹部２２，２２が形成されており、開口面の近傍位置の両側にも係合凹部２３，２３が形成されている。これらの係合凹部２２，２３には、後述する保持部材３の突起３３，３３が係合して、保持部材３の開閉状態を規定する。
【００２４】
図４は、保持部材３の構成を示す断面図である。保持部材３は紙を束ねるためのクリップと似たような断面構造をしており、全体がばね鋼などの弾性材料の薄板で形成されている。挟持部３１は止水樋１の上端部１１を挟んで保持する部分である。保持部材３の本体部は上端部１１をちょうど収納可能な略逆三角形の形状に形成されている。
【００２５】
開閉腕部３２は、挟持部３１の開閉操作を行うための部分である。保持部材３に外力が加わっていない状態では、図４のように挟持部３１は最も閉じた状態となり、開閉腕部３２は上方が最も開いた状態となっている。この状態から開閉腕部３２の上端を閉じる方向に移動させると、てこの作用により挟持部３１がばね力に抗して開く方向に移動する。開閉腕部３２の上端に作用する力を解除すれば、挟持部３１はばね力により元の閉じた状態に戻る。
【００２６】
保持部材３は図示のような断面形状であるが、その奥行き方向の長さは適宜の長さとすればよい。保持部材３の長さは樋固定部２の長さよりも短くてよく、１つの樋固定部２に対して複数の保持部材３を所定の間隔で装着することができる。なお、保持部材３は、そのばね力によって止水樋１を十分に保持できる程度のばね剛性に設計されている。すなわち、挟持部３１のばね力による保持力は、止水樋１がその自重で脱落しない程度の十分な大きさとされている。
【００２７】
図５は、樋固定部２に対する保持部材３の装着状態を示す断面図である。保持部材３の開閉腕部３２の上端に閉じる方向の力を加えて、開閉腕部３２上端の間隔を狭めると、開閉腕部３２が溝状凹部２１の開口部に挿入可能となる。そして、さらに保持部材３を溝状凹部２１の内部に押し込むと、図５（ａ）に示すように、開閉腕部３２が弾性変形して溝状凹部２１の内部に挿入され、開閉腕部３２の突起３３が開口面の近くの係合凹部２３に入り込み、その位置で突起３３が係合凹部２３に係合する。この位置では、保持部材３の開閉腕部３２上端が間隔の狭い状態で係合されており、挟持部３１は間隔の広い開放状態となってその状態が維持されている。
【００２８】
保持部材３をこの位置からさらに溝状凹部２１の内部に押し入れることができる。保持部材３をさらに溝状凹部２１内部に押し入れると、図５（ｂ）に示すように、開閉腕部３２の間隔は溝状凹部２１の断面形状に沿って広げられ、逆に挟持部３１の間隔はばね力によって狭められて挟持状態となる。保持部材３を最も溝状凹部２１の内部に押し入れると、開閉腕部３２の突起３３が溝状凹部２１の底面の近くの係合凹部２２に係合する。
【００２９】
保持部材３は、溝内に押し込んだり引き出したりすることにより、図５（ａ）の開放状態と、図５（ｂ）の挟持状態を切り換えることができる。止水樋１を保持していない状態では、図５（ａ）の開放状態としておく。また、開放状態からさらに保持部材３を引き出すことにより、保持部材３を樋固定部２から完全に取り外すこともできる。
【００３０】
図６は、止水樋１を樋固定部２に固定する手順を示す断面図である。まず、図６（ａ）に示すように、樋固定部２に保持部材３を開放状態で装着しておく。そして、保持部材３の開放されている挟持部３１に止水樋１の上端部１１を挿入する。次に、さらに力を加えて上端部１１を挟持部３１とともに上方に移動させる。すると、図６（ｂ）に示すように、止水樋１の上端部１１は保持部材３の挟持部３１によって挟持され、その位置で固定される。このように、止水樋１の固定作業を、単に上方に押し上げるだけの極めて簡単な操作で遂行することができる。
【００３１】
また、このように固定した止水樋１を修理、交換等のために取り外す作業も容易である。固定されている止水樋１の上端部１１を挟持部３１とともに下方に引き出せば、保持部材３が開放状態となり、止水樋１を簡単に取り外すことができる。ただし、止水樋１を取り外す際に必要な力は、止水樋１の自重を支えるための力よりも十分に大きくしておく。これにより、止水樋１が自重により自然に外れてしまうことが防止される。
【００３２】
以上のような本発明の止水樋の固定構造により、路面幅員方向に連続した一体の止水樋１を床版の継目部の所定位置に容易に取り付け固定することができる。また、固定した止水樋１を修理、交換等のために取り外す作業も容易に行うことができる。そのため、橋梁等の建設工事のコストを低減させることができ、工期を短縮することができる。
【産業上の利用可能性】
【００３３】
本発明によれば、橋梁等の建設工事において、止水樋を床版の継目部の所定位置に容易に取り付け固定することができ、また、固定した止水樋を修理、交換等のために取り外す作業も容易に行うことができるので、橋梁等の建設工事のコストを低減させ、工期を短縮することができる。
【符号の説明】
【００３４】
１  止水樋
２  樋固定部
３  保持部材
４  床版
５  弾性シール材
６  バックアップ材
１１  上端部
２１  溝状凹部
２２，２３  係合凹部
３１  挟持部
３２  開閉腕部
３３  突起
４１  フェースプレート
４２  フィンガー部
【図１】
0005319632.tif 000002
【図２】
0005319632.tif 000003
【図３】
0005319632.tif 000004
【図４】
0005319632.tif 000005
【図５】
0005319632.tif 000006
【図６】
0005319632.tif 000007